(57)【要約】【課題】回折格子をスライドベース等に固定した後においても、ビームスポット間隔を所定のトラックピッチに合わせて調整することができ、トラッキング誤差信号の感度を向上させることができる光ピックアップ装置を提供する。【解決手段】情報信号の記録及び／又は再生のために光ビームを光ディスク５０の情報記録面に照射させる光学系が取り付けられるベース部材２２と、ベース部材２２が回転可能に取り付けられると共に、ディスクドライブ装置８０に移動可能に取り付けられるカバー部材２３と、を備え、ベース部材２２には、カバー部材２３に対する回転の中心となる基準穴５１と、ベース部材２２をカバー部材２３に対して取付け可能な固定ネジ７０と、を設ける。【選択図】        図６
2005216330.tif 000002
【特許請求の範囲】
【請求項１】
情報信号の記録及び／又は再生のために光ビームを光学ディスクの情報記録面に照射させる光学系が取り付けられるベース部材と、
上記ベース部材が回転可能に取り付けられると共に、光情報記録及び／又は再生装置に移動可能に取り付けられるカバー部材と、を備え、
上記ベース部材には、上記カバー部材に対する回転の中心となる回転基準部と、当該ベース部材をカバー部材に対して取付け可能な固定手段と、を設けたことを特徴とする光ピックアップ装置。
【請求項２】
上記光学系は、上記情報記録面により反射された戻りの光ビームに基づくトラッキング制御を行うためのトラッキング誤差信号を含む信号を得るために上記光ビームを３ビームに分割する回折格子を含み、３つの光ビームに基づいてトラッキング誤差信号を発生させるスリービーム法を実行できるものであることを特徴とする請求項１記載の光ピックアップ装置。
【請求項３】
上記回転基準部は、その回転中心を上記光学系の一部をなす対物レンズの光軸と一致させるようにしたことを特徴とする請求項１記載の光ピックアップ装置。
【請求項４】
上記カバー部材は、上記光情報記録及び／又は再生装置の互いに平行とされた一対のガイド軸が摺動可能に挿通される一対の軸受を有することを特徴とする請求項１記載の光ピックアップ装置。
【請求項５】
情報信号の記録及び／又は再生のために光ビームを光学ディスクの情報記録面に照射させる光学系が取り付けられるベース部材を、光情報記録及び／又は再生装置に移動可能に取り付けられるカバー部材に回転可能に支持して仮止めした後、上記情報記録面からの戻りの光ビームに基づきトラッキング誤差を検出したときに、上記カバー部材に対して上記ベース部材を回転させて上記トラッキング誤差を調整し、その後ベース部材とカバー部材を本止めするようにしたことを特徴とする光ピックアップ装置の調整方法。
【請求項６】
光学ディスクを回転駆動するディスク回転装置と、
情報信号の記録及び／又は再生のために光ビームを上記光学ディスクの情報記録面に照射させる光学系が取り付けられるスライドベースを有する光ピックアップ装置と、
上記光ピックアップ装置を上記光学ディスクの上記情報記録面に沿って移動させるピックアップ移動装置と、を備え、
上記スライドベースは、上記光学系が取り付けられるベース部材と、上記ベース部材が回転可能に取り付けられると共に上記ピックアップ移動装置に移動可能に取り付けられるカバー部材と、を有し、
上記ベース部材及び上記カバー部材間を回転可能に連結する回転連結手段と、上記ベース部材及び上記カバー部材間を取付け可能な固定手段と、を設けたことを特徴とする光情報記録及び／又は再生装置。
【請求項７】
上記光学系は、上記情報記録面により反射された戻りの光ビームに基づくトラッキング制御を行うためのトラッキング誤差信号を含む信号を得るために上記光ビームを３ビームに分割する回折格子を含み、３つの光ビームに基づいてトラッキング誤差信号を発生させるスリービーム法を実行できるものであることを特徴とする請求項６記載の光情報記録及び／又は再生装置。
【請求項８】
上記回転基準部は、その回転中心を上記光学系の一部をなす対物レンズの光軸と一致させるようにしたことを特徴とする請求項６記載の光情報記録及び／又は再生装置。
【請求項９】
上記カバー部材は、上記光情報記録及び／又は再生装置の互いに平行とされた一対のガイド軸が摺動可能に挿通される一対の軸受を有することを特徴とする請求項６記載の光情報記録及び／又は再生装置。
【発明の詳細な説明】
【０００１】
【発明の属する技術分野】
本発明は、光ディスクや光磁気ディスク等の光学ディスクの情報記録面に対して光ビームを集光させる光ピックアップ装置、この光ピックアップ装置の調整方法及び、この光ピックアップ装置を用いて情報記録面に対して情報信号の記録（書込み）及び／又は再生（読出し）を行なう光情報記録及び／又は再生装置に関するものである。
【０００２】
【従来の技術】
従来、一般に、光情報記録再生装置は、光学ディスクを所定速度で回転駆動するディスク回転装置と、光学ディスクの情報記録面上に光ビームを集光させる対物レンズを有する対物レンズ駆動装置を備えた光ピックアップ装置と、この光ピックアップ装置を光学ディスクの情報記録面に沿って移動させるピックアップ移動装置等によって構成されている。そして、光ピックアップ装置により出射される光ビームを、光学ディスクのデータレコーディングトラックに沿って連続させて照射し、そのトラックにより反射された戻りの光ビームに基づいてデータの記録（書込み）及び／又は再生（読出し）が行なわれている。
【０００３】
光学ディスクのデータレコーディングトラックは、一般に、内側から外側に向けて逐次的に径を大きくした渦巻き状に形成されており、セクタはディスク内での離心率等によってディスクの回転中心から同一距離には必ずしも存在しない。そのため、光ビームをトラックに正確に照射させるためには、トラッキング制御が必須になる。このトラッキング制御の代表例としては、単一の光ビームを使用するプッシュプル法と、単一の光ビームを３分割して使用するスリービーム法とが広く知られているが、前者のプッシュプル法がディスクチルト又はディスク欠陥に対して不安定であるのに対し、後者のスリービーム法では高い安定性を有するため、より多く利用されている。
【０００４】
また、光学ディスクの反り等によって光ピックアップ装置からディスクまでの距離も微細に変化する。そのため、光ビームをトラックに正確に照射するためには、フォーカシング制御も必須となる。このフォーカシング制御の代表例としては、非点収差現象を利用した非点収差法や、ナイフエッジ法等が広く利用されている。
【０００５】
従来の、この種の光ピックアップ装置としては、例えば、図１２に示すような構成のものが知られている。この光ピックアップ装置１は、スリービームトラッキング方式を採用した代表的な構成例を示すものである。光ピックアップ装置１は、レーザダイオードで構成された光源２を有し、この光源２から光ビームが出射される。光源２から出射される光ビームの光軸上には、近い側から順に回折格子３とコリメータレンズ４とビームスプリッタ５が配置されている。
【０００６】
回折格子３は、光ビームを３ビームに分割するもので、３ビームに分割された光ビームがコリメータレンズ４によって平行光に変換される。平行光に変換された光ビームはビームスプリッタ５を通過し、同じく光ビームの光軸上に配置されたλ／４波長板６及び対物レンズ７を順に通過する。このとき光ビームは、対物レンズ７を通過する際に集光され、光ディスクＤの表面Ｒに約１μｍのビームスポットを形成して入射される。
【０００７】
ここで、ビームスプリッタ５は、２つの直角プリズムをそれぞれの傾斜面５ａ（４５°）を対面させて配置すると共に、その傾斜面５ａに偏光膜を形成することによって構成されている。このような構成とすることにより、ビームスプリッタ５では、入射された光ビームの直進性を保障する一方、入射された光ビームの一部は透過し且つ光ビームの残部は入射光と９０°の角度で反射するようにしている。また、λ／４波長板６は、入射ビームと反射ビームとの間の干渉現象を回避するためのもので、複屈折現象を利用して直線偏光を円偏光に変換したり、円偏光を直線偏光に変換したりする。
【０００８】
上述した光ディスクＤの表面Ｒに照射された光ビームは、光ディスクＤ内の情報記録面Ｑによって反射される。この際、情報記録面Ｑに情報信号として記録されたピットＰの有無によって反射光量が変化し、この反射光量によって情報の再生を行うことができる。情報記録面Ｑによって反射された光ビームは、再び対物レンズ７を通過して平行光に変換され、λ／４波長板６で９０°偏光される。その後、ビームスプリッタ５に入射された光ビームの一部が傾斜面５ａで反射され、９０°曲がって光源２からの光軸と直交する方向に進行するようになる。
【０００９】
ビームスプリッタ５で反射された光ビームの光路上には、近い側から順に集束レンズ８と円筒レンズ９と光検出器１０が配置されている。集束レンズ８は、戻りの光ビームを集束させるもので、この集束レンズ８で集束された光ビームが円筒レンズ９を通過して光検出器１０に受光される。光検出器１０は、光ビームを４分割又は６分割する受光素子によって構成されている。この光検出器１０で受光された光ビームの像に基づいて、光ディスクＤに対する光ピックアップ装置１の位置の正確度、即ち、フォーカシングエラー及びトラッキングエラーを検出し、これらに対応したフォーカシング誤差信号及びトラッキング誤差信号を発生させることができる。
【００１０】
このようなフォーカシング誤差信号及びトラッキング誤差信号に応答して、対物レンズ７のアクチュエータであるボイスコイルモータ１１が駆動される。その結果、フォーカシング誤差及びトラッキング誤差に応じて対物レンズ７が移動され、フォーカシング及びトラッキングの制御が実行される。そして、上述した光ディスクＤのピットＰによって決定される反射光量に基づいて、メインとなる情報の再生が行われる。
【００１１】
このような構成を有するスリービームトラッキング方式の光ピックアップ装置によるトラッキング誤差信号の検出は、例えば、次のようにして行われる。この光ピックアップ装置では、１個のレーザダイオードからなる光源２より出射される単一の光ビームが、回折格子３によってメインビーム１２と第１サブビーム１３と第２サブビーム１４とで構成される３ビームに分割される。
【００１２】
そのため、図１３Ａに示すように、光ディスクＤの情報記録面Ｑ上には３つのビーム１２〜１４が、例えば、メインビーム１２は第３トラック（ディスク中心からｎ＋２巻目のトラック）１５ｃに沿って第３トラック１５ｃ中心部にビームスポットを形成するように照射され、第１サブビーム１３はメインビーム１２の上部の地点である第２トラック（ディスク中心からｎ＋１巻目のトラック）１５ｂと第３トラック１５ｃとの間に照射され、また、第２サブビーム１４はメインビーム１２の下部の地点である第３トラック１５ｃと第４トラック（ディスク中心からｎ＋３巻目のトラック）１５ｄとの間に照射される。
【００１３】
その結果、上記光ディスクＤの情報記録面Ｑから反射される戻りの光ビームは、光検出器１０によって図１３Ｂに示すように受光される。即ち、光検出器１０のメインビーム受光部１６では略中央部に受光され、第１サブビーム受光部１７では中央部より少々右側へ寄った位置に受光され、また、第２サブビーム受光部１８では中央部より少々左側へ寄った位置に受光される。
【００１４】
【発明が解決しようとする課題】
しかしながら、このような従来の光ピックアップ装置においては、単一の光ビームを３つの光ビームに分割する回折格子３が、光源２や対物レンズ駆動装置である二軸アクチュエータ等と同様にスライドベースに固定される構成となっていた。そのため、上述したようにして検出されるトラッキング誤差信号の感度が悪い場合においても、その感度の再調整ができないという課題があった。
【００１５】
本発明は、このような従来の課題に鑑みてなされたものであり、回折格子をスライドベース等に固定した後においても、ビームスポット間隔を所定のトラックピッチに合わせて調整することができ、トラッキング誤差信号の感度を向上させることができる光ピックアップ装置、この光ピックアップ装置の調整方法及び光ピックアップ装置を用いた光情報記録及び／再生装置を提供することを目的としている。
【００１６】
【課題を解決するための手段】
上述したような課題等を解決し、上記目的を達成するために、本出願の請求項１記載の光ピックアップ装置は、情報信号の記録及び／又は再生のために光ビームを光学ディスクの情報記録面に照射させる光学系が取り付けられるベース部材と、ベース部材が回転可能に取り付けられると共に、光情報記録及び／又は再生装置に移動可能に取り付けられるカバー部材と、を備え、ベース部材には、カバー部材に対する回転の中心となる回転基準部と、ベース部材をカバー部材に対して取付け可能な固定手段と、を設けたことを特徴としている。
【００１７】
本出願の請求項２記載の光ピックアップ装置は、光学系は、情報記録面により反射された戻りの光ビームに基づくトラッキング制御を行うためのトラッキング誤差信号を含む信号を得るために光ビームを３ビームに分割する回折格子を含み、３つの光ビームに基づいてトラッキング誤差信号を発生させるスリービーム法を実行できるものであることを特徴としている。
【００１８】
本出願の請求項３記載の光ピックアップ装置は、回転基準部は、その回転中心を光学系の一部をなす対物レンズの光軸と一致させるようにしたことを特徴としている。
【００１９】
本出願の請求項４記載の光ピックアップ装置は、カバー部材は、光情報記録及び／又は再生装置の互いに平行とされた一対のガイド軸が摺動可能に挿通される一対の軸受を有することを特徴としている。
【００２０】
本出願の請求項５記載の光ピックアップ装置の調整方法は、情報信号の記録及び／又は再生のために光ビームを光学ディスクの情報記録面に照射させる光学系が取り付けられるベース部材を、光情報記録及び／又は再生装置に移動可能に取り付けられるカバー部材に回転可能に支持して仮止めした後、情報記録面からの戻りの光ビームに基づきトラッキング誤差を検出したときに、カバー部材に対してベース部材を回転させてトラッキング誤差を調整し、その後ベース部材とカバー部材を本止めするようにしたことを特徴としている。
【００２１】
本出願の請求項６記載の光情報記録及び／又は再生装置は、光学ディスクを回転駆動するディスク回転装置と、情報信号の記録及び／又は再生のために光ビームを光学ディスクの情報記録面に照射させる光学系が取り付けられるスライドベースを有する光ピックアップ装置と、光ピックアップ装置を光学ディスクの情報記録面に沿って移動させるピックアップ移動装置と、を備え、スライドベースは、光学系が取り付けられるベース部材と、ベース部材が回転可能に取り付けられると共にピックアップ移動装置に移動可能に取り付けられるカバー部材と、を有し、ベース部材及びカバー部材間を回転可能に連結する回転連結手段と、ベース部材及びカバー部材間を取付け可能な固定手段と、を設けたことを特徴としている。
【００２２】
本出願の請求項７記載の光情報記録及び／又は再生装置は、光学系は、情報記録面により反射された戻りの光ビームに基づくトラッキング制御を行うためのトラッキング誤差信号を含む信号を得るために光ビームを３ビームに分割する回折格子を含み、３つの光ビームに基づいてトラッキング誤差信号を発生させるスリービーム法を実行できるものであることを特徴としている。
【００２３】
本出願の請求項８記載の光情報記録及び／又は再生装置は、回転基準部は、その回転中心を光学系の一部をなす対物レンズの光軸と一致させるようにしたことを特徴としている。
【００２４】
本出願の請求項９記載の光情報記録及び／又は再生装置は、カバー部材は、光情報記録及び／又は再生装置の互いに平行とされた一対のガイド軸が摺動可能に挿通される一対の軸受を有することを特徴としている。
【００２５】
上述のように構成したことにより、本出願の請求項１記載の光ピックアップ装置では、光情報記録及び／又は再生装置に取り付けられたカバー部材にベース部材を固定手段で仮止めした状態において、回転基準部により連結されたカバー部材及びベース部材間を相対的に回転させることにより、光学ディスクの情報記録面の記録トラックに対する相対位置を調整することができる。その後、固定手段で本止めすることにより、カバー部材及びベース部材間を固定して一体化させることができる。
【００２６】
本出願の請求項２記載の光ピックアップ装置では、光学系として光ビームを３ビームに分割する回折格子を含むスリービーム法の適用が可能な構成とすることにより、トラッキング制御のための調整を簡単且つ精度良いものとすることができる。
【００２７】
本出願の請求項３記載の光ピックアップ装置では、回転基準部の回転中心を対物レンズの光軸と一致させることにより、カバー部材に対してベース部材を回転させるだけでトラッキング誤差信号の感度調整を行うことができ、その調整作業を簡単且つ迅速に行うことができる。
【００２８】
本出願の請求項４記載の光ピックアップ装置では、カバー部材に一対の軸受を設け、この一対の軸受にディスクドライブ装置の一対のガイド軸を挿通することにより、別部品を必要とすることなく、カバー部材を介してベース部材をディスクドライブ装置に取り付けることができる。
【００２９】
本出願の請求項５記載の光ピックアップ装置の調整方法では、カバー部材を光情報記録及び／又は再生装置に取り付けて固定手段で仮止めした後、回転基準部で連結されたベース部材をカバー部材に対して相対的に回転させることにより、カバー部材に対するベース部材の相対位置を変化させてトラッキング誤差信号の感度調整を行うことができ、その後ベース部材とカバー部材を本止めすることにより、カバー部材とベース部材を固定して一体化させることができる。
【００３０】
本出願の請求項６記載の光情報記録及び／又は再生装置では、光情報記録及び／又は再生装置に取り付けられたカバー部材にベース部材を固定手段で仮止めした状態において、回転基準部により連結されたカバー部材及びベース部材間を相対的に回転させることにより、光学ディスクの情報記録面の記録トラックに対する相対位置を調整することができる。その後、固定手段で本止めすることにより、カバー部材及びベース部材間を固定して一体化させることができる光ピックアップ装置を備えた光情報記録及び／又は再生装置を提供することができる。
【００３１】
本出願の請求項７記載の光情報記録及び／又は再生装置では、光学系として光ビームを３ビームに分割する回折格子を含むスリービーム法の適用が可能な構成とすることにより、トラッキング制御のための調整を簡単且つ精度良いものとすることができる光ピックアップ装置を備えた光情報記録及び／又は再生装置を提供することができる。
【００３２】
本出願の請求項８記載の光情報記録及び／又は再生装置では、回転基準部の回転中心を対物レンズの光軸と一致させることにより、カバー部材に対してベース部材を回転させるだけでトラッキング誤差信号の感度調整を行うことができ、その調整作業を簡単且つ迅速に行うことができる光ピックアップ装置を備えた光情報記録及び／又は再生装置を提供することができる。
【００３３】
本出願の請求項９記載の光情報記録及び／又は再生装置では、カバー部材に一対の軸受を設け、この一対の軸受にディスクドライブ装置の一対のガイド軸を挿通することにより、別部品を必要とすることなく、カバー部材を介してベース部材をディスクドライブ装置に取り付けることができる光ピックアップ装置を備えた光情報記録及び／又は再生装置を提供することができる。
【００３４】
【発明の実施の形態】
以下、本発明の実施の形態を添付図面を参照して説明する。図１〜図１１は本発明の実施の例を示すものである。即ち、図１は本発明の光ピックアップ装置の第１の実施例の分解斜視図、図２は光ピックアップ装置の第１の実施例に係るベース部材の製造のための説明図、図３は光ピックアップ装置の第１の実施例に係るベース部材及び対物レンズ駆動装置の斜視図、図４は図３のベース部材の要部拡大斜視図、図５は光ピックアップ装置の第１の実施例に係るカバー部材の底面側斜視図、図６は光ピックアップ装置の第１の実施例の縦断面図、図７は光ピックアップ装置の第１の実施例の底面側斜視図である。
【００３５】
図８は図３の光ピックアップ装置を用いた光情報記録及び／又は再生装置の一実施例を示す斜視図、図９は図８の光情報記録及び／又は再生装置の送りねじ駆動装置を示す斜視図、図１０は図８の光情報記録及び／又は再生装置の概略構成を示すブロック説明図、図１１Ａ，Ｂ及びＣは光ピックアップ装置の調整方法を説明するための図である。
【００３６】
図１〜図７に示すように、本発明の光ピックアップ装置の好適な形態をなす一実施例として示す光ピックアップ装置２０は、ベース部材２２とカバー部材２３とで構成されたスライドベース２１と、ベース部材２２に搭載された対物レンズ駆動装置の一具体例を示す二軸アクチュエータ２４と、情報信号の記録及び／又は再生のために光ビームを出射するレーザ光源２５と、このレーザ光源２５から出射された後に光学ディスクの情報記録面により反射された戻りの光ビームを受光する光検出器２６等を備えて構成されている。
【００３７】
図１及び図３に示すように、ベース部材２２は、平面形状が略長方形をなすと共に１の角部において斜め側方に突出するマウント部２２ａを有している。このベース部材２２は、図６に示すように、導電性の金属板（例えば、銅板等）によって回路の配線形状に形成された電気回路の一部を構成する回路芯材２７ａと、この回路芯材２７ａの必要な部分を露出させて他の部分を覆う絶縁性の材料により形成された外装基材２７ｂとによって一体成形されている。外装基材２７ｂの材質としては、例えば、非磁性体である樹脂系材料（例えば、液晶ポリマー等）が用いられているが、樹脂系材料に限定されるものではなく、磁性体でなければ金属を用いることもでき、またセラミックス等を適用することもできる。
【００３８】
このベース部材２２は、回路芯材２７ａを骨材として、これに外装基材２７ｂを肉付けするようにして製造される。例えば、回路芯材２７ａを中子のように用いて金型内にセットした後、その金型の空間部に外装基材２７ｂの材料（例えば、樹脂系材料）を充填することにより、射出成形によって一体に成形することができる。そのため、回路芯材２７ａは複数の支持片２８ａによって外部フレーム２８に連結されている。
【００３９】
図２に示すように、外部フレーム２８は四角形の枠体をなしており、成形時において支持片２８ａを介して回路芯材２７ａを支える役割を果している。また、回路芯材２７ａには、外部配線と接続するための端子となる多数の端子片２９ａを介して補助フレーム２９が接続されている。この外部フレーム２８及び複数の支持片２８ａ並びに補助フレーム２９は、成品としてのベース部材２２には不要なものであるため、外装基材２７ｂを射出成形した後の後処理において切断して取り除くようにする。
【００４０】
図１及び図３に示すように、ベース部材２２のマウント部２２ａの先端には、上方へ盛り上げるように台座３０が設けられている。そして、台座３０には、レーザ光源２５が収納される第１の凹陥部３１ａが設けられ、また、マウント部２２ａには、光検出器２６が収納される第２の凹陥部３１ｂが設けられている。第２の凹陥部３１ｂは、マウント部２２ａの略中央部に所定の大きさで四角形の凹部として形成されている。この第２の凹陥部３１ｂの一端は台座３０に達しており、第２の凹陥部３１ｂ側に開口するよう第１の凹陥部３１ａが台座３０の上面に設けられている。
【００４１】
これら第１及び第２の凹陥部３１ａ，３１ｂには、回路芯材２７ａを適当な形状に露出させることによって電気回路３２，３３が設けられている。即ち、第１の凹陥部３１ａには、レーザ光源２５が実装されるベース部と、このベース部の周囲に配された複数の端子部とを有する光源用電気回路３２が設けられている。そして、第２の凹陥部３１ｂには、光検出器２６が実装されるベース部と、このベース部の周囲に配された複数の端子部とを有する検出器用電気回路３３が設けられている。
【００４２】
レーザ光源２５は、情報信号の記録及び／又は再生のために光ビームを出射するもので、例えば、半導体レーザ（レーザダイオード）等を適用することができる。このレーザ光源２５は、図６に示すように、光ビームの出射口を水平方向に向けて光源用電気回路３２に実装されている。また、光検出器２６は、光学ディスクの情報記録面によって反射された戻りの光ビームを受けて情報信号、フォーカス誤差信号及びトラッキング誤差信号を読み取るもので、例えば、フォトダイオードＩＣ等を適用することができる。この光検出器２６は、光ビームの受光口を上方向に向けて検出器用電気回路３３に実装されている。
【００４３】
図４に示すように、光源用電気回路３２とこれに実装されたレーザ光源２５とが、複数のワイヤボンディング３４ａによって電気的に接続されている。そして、検出器用電気回路３３とこれに実装された光検出器２６とが、複数のワイヤボンディング３４ｂによって電気的に接続されている。光源用電気回路３２の面と検出器用電気回路３３の面との間には適当な高さの段差が設定されており、上方に設置されたレーザ光源２５から出射される光ビームが下方に設置された光検出器２６と干渉しないように考慮されている。
【００４４】
光検出器２６の上方には、レーザ光源２５から出射された光ビームを透過させると共に戻りの光ビームを光検出器２６に導くプリズム３５が配置されている。プリズム３５は、マウント部２２ａに設けたガイド溝３６ａ内に収納されていると共に、プリズム３５の一部が光検出器２６の略全体と所定の隙間をあけて重なり合うように配設されている。
【００４５】
プリズム３５は、直方体の長手方向一側に傾斜された反射面３５ａを有するブロック状の部材からなり、その長手方向一側の端面に第１の回折格子３５ｂが設定され、長手方向他側の端面に第２の回折格子３５ｃが設定されている。このプリズム３５の第１の回折格子３５ｂがレーザ光源２５に対向されていて、光ビームの進行方向と平行にプリズム３５の長手方向が設定されている。このプリズム３５は、マウント部２２ａに取り付けられるプリズムホルダ３７によってベース部材２２に固定されている。
【００４６】
図１及び図３に示すように、プリズムホルダ３７は、プリズム３５が嵌合される嵌合凹部３７ａを有するトンネル構造の部材からなり、そのトンネル部の両側には嵌合凹部３７ａと交差する方向に突出するフランジ部３７ｂがそれぞれ設けられている。各フランジ部３７ｂの先端には、下方に突出すると共に可撓性を有する係止爪３７ｃがそれぞれ設けられている。一対の係止爪３７ｃをマウント部２２ａの一対の爪穴３６ｂに係合させることにより、プリズムホルダ３７がベース部材２２に取り付けられている。
【００４７】
かくして、レーザ光源２５から出射された光ビームは、プリズム３５の第１の回折格子３５ｂに入射され、その内部を進行して反対側の第２の回折格子３５ｃから出射される。また、情報記録面で反射された戻りの光ビームは、再び第２の回折格子３５ｃに入射され、ここで所定角度屈折されて反射面３５ａに向かう。この光ビームは反射面３５ａで反射されて下方に向かい、プリズム３５の下面から出射されて、光検出器２６の受光部に入射される。
【００４８】
更に、ベース部材２２には、切欠き部２２ｂを設けることによって複数の端子２８ｂが露出され、また、開口穴２２ｃを設けることによって多数の端子２９ａが露出されている。そして、多数の端子２９ａに対応させて外装基材２７ｂに切欠き２２ｄを設けることにより、外部配線との接続のためのコネクタ部４５が設けられている。このコネクタ部４５はＺＩＦロックタイプのコネクタとして構成したが、これに限定されるものではなく、例えば、外部配線を挿入してコネクタ自身の圧力のみで固定するＮＯＮＺＩＦタイプのコネクタとして構成することもできる。
【００４９】
このような電気回路を回路芯材２７ａとして内蔵したベース部材２２は、上述したように、回路芯材２７ａを中子のように用いて外装基材２７ｂと結合することにより、射出成形によって簡単且つ大量に製作することができる。これにより、コネクタ部４５が一体成形されたベース部材２２を、射出成形の１工程によって容易に作ることができる。
【００５０】
また、図１及び図３に示すように、ベース部材２２の上面には、対物レンズ駆動装置の一具体例を示す二軸アクチュエータ２４が搭載されて一体的に構成されている。この二軸アクチュエータ２４は、調整プレート３８に固定される支持部材３９と、この支持部材３９に一端側が固定された４本のサスペンションワイヤ４０と、これら４本のサスペンションワイヤ４０によって弾性支持された二軸可動部４１等から構成されている。
【００５１】
支持部材３９は絶縁材料で形成されており、固定ネジ等の固着手段によって調整プレート３８に固定されている。調整プレート３８はベース部材２２に対して上下方向へ高さ調整可能とされており、この調整プレート３８がベース部材２２の上面に突出する量を調整することによって二軸アクチュエータ２４の高さを調整することができる。調整プレート３８は、接着剤その他の固着手段によってベース部材２２に固定される。
【００５２】
支持部材３９に各一端が固定された４本のサスペンションワイヤ４０は、適当な弾性を有する導電性材料によって形成されている。更に、４本のサスペンションワイヤ４０は、上下及び左右にされぞれ対称をなすよう平行に配置されており、これらの先端に二軸可動部４１が固定されている。二軸可動部４１は、絶縁性材料によって形成されたレンズホルダ４２と、このレンズホルダ４２に支持固定された２枚で一対をなすプリントコイル基板４３ａ，４３ｂと、同じくレンズホルダ４２に固定された対物レンズ４４等を備えて構成されている。
【００５３】
図５に示すように、二軸可動部４１のレンズホルダ４２は、対物レンズ４４が固定されるホルダ部４２ａと、このホルダ部４２ａと重量バランスを取るためのバランス部４２ｂと、ホルダ部４２ａ及びバランス部４２ｂ間を所定の隙間をあけて連結する左右の連結壁部４２ｃ，４２ｃとを有している。レンズホルダ４２のホルダ部４２ａは、庇のように側方に張り出した張出部を有し、この張出部に設けられた貫通穴の上部に対物レンズ４４が嵌合され、接着剤等の固着手段により固定されて一体的に構成されている。
【００５４】
更に、レンズホルダ４２のバランス部４２ｂの内側に第１のプリントコイル基板４３ａが取り付けられ、ホルダ部４２ａの内側に第２のプリントコイル基板４３ｂが取り付けられている。２枚のプリントコイル基板４３ａ，４３ｂは、プリントコイルの巻き方を対称とした略同一形状及び構造を有するものであって、それぞれ２種類のプリントコイルを重ね合わせて貼り付けるようにして構成されている。
【００５５】
一対のプリントコイル基板４３ａ，４３ｂの表側（後述するマグネット４６に近い側）には、上下に分割してそれぞれ巻回するように形成された横長のフォーカス用プリントコイルが設けられている。そして、各プリントコイル基板４３ａ，４３ｂの裏側（マグネット４６から遠い側）には、左右に分割してそれぞれ巻回するように形成された若干縦長とされたトラッキング用プリントコイルが設けられている。
【００５６】
このような２枚のプリントコイル基板４３ａ，４３ｂが、図１及び図６等に示すように、互いに所定の隙間をあけて平行をなすように配置されてレンズホルダ４２に固定されている。そして、４本のサスペンションワイヤ２０の各端部と２本の結線導電材が、２枚のプリントコイル基板４３ａ，４３ｂの接続部にそれぞれ接続されている。４本のサスペンションワイヤ２０の各他端にはフレキシブル配線基板の配線パターンが接続され、その配線パターンはベース部材２２に設けた端子３２ａに接続されて通電可能とされている。
【００５７】
また、２枚のプリントコイル基板４３ａ，４３ｂの間には、各プリントコイルとの間に所定の隙間をあけてマグネット４６を介在させて設けている。マグネット４６は、２極着磁された直方体からなり、例えば、第１のプリントコイル基板４３ａの表側にＮ極を対向させ、第２のプリントコイル基板４３ｂの表側にＳ極を対向させて配置する。しかしながら、マグネット４６は、これと磁極が逆側となるように配置しても良いことは勿論である。かかる場合には、２枚のプリントコイル基板４３ａ，４３ｂの裏表が逆側となる。
【００５８】
このマグネット４６を所定位置において所定高さに支持固定するため、ベース部材２２には上方に突出する支持台４７が設けられている。この支持台４７には、他の部品を介することなく、マグネット４６を直接載置させて固定するようにする。そして、第１及び第２のプリントコイル基板４３ａ，４３ｂの各プリントコイルの面と、これに対向するマグネット４６の各対向面とは、それぞれ平行又は略平行となるように構成する。
【００５９】
更に、支持台４７には、マグネット４６を挟持する一対の挟持片４７ａ，４７ａが設けられている。この挟持片４７ａ，４７ａ間にマグネット４６を嵌合させて支持台４７上に載置させることにより、マグネット４６の上記平行する方向の位置決めを行うことができる。このマグネット４６に対して２枚のプリントコイル基板４３ａ，４３ｂは、それぞれのプリントコイルにより発生される合推力点がマグネット４６の中心と略同一となるように設置する。
【００６０】
また、光軸が上下方向に設定されている対物レンズ４４の下方には、入射される光ビームを反射してその進行方向を変更させる反射ミラー４８が配置されている。反射ミラー４８は、ベース部材２２に設けたミラー受け台４９の傾斜面に固定されている。このミラー受け台４９の傾斜面によって反射ミラー４８の反射面が、水平面と略４５°をなす傾斜面に設定されている。この反射ミラー４８の反射面の中心を、レーザ光源２５から出射される光ビームの光軸の中心と一致させるか又は略一致させるように構成する。
【００６１】
更に、ベース部材２２のミラー受け台４９の下方には、ベース部材２２を水平方向（光ディスク５０の平面方向）に回転させる際の回転中心となる回転基準部の一具体例を示す基準穴５１が設けられている。基準穴５１は円形の穴からなり、この基準穴５１には、図１１Ａに示すように、ベース部材２２を回転させるときに使用される回転基準治具５８の軸部５８ａが回転可能に嵌合される。基準穴５１の中心線ＣＬは、その上方に配置された対物レンズ４４の光軸ＢＬと一致するか又は略一致するように設定することが好ましい。
【００６２】
かくして、プリズム３３を透過して水平に進む光ビームが反射ミラー４８に到達すると、その光ビームは反射面で直角に９０°曲げられて上方に進行し、対物レンズ４４を透過する。そして、対物レンズ４４で絞られて光ディスク５０の情報記録面に照射される。また、情報記録面で反射された光ビームは、再び対物レンズ４４を透過して下方に進行する。この戻りの光ビームが反射ミラー４８に到達すると、反射面で９０°曲げられた後、対物レンズ４４の光軸と直交する水平方向に進行する。
【００６３】
この二軸アクチュエータ２４によれば、４本のサスペンションワイヤ４０間に流される電流に応じて、一対のプリントコイル基板４３ａ，４３ｂが固定されたレンズホルダ４２に、上下又は左右方向の推力を自在に発生させることができる。その結果、これら推力の発生により、一対のプリントコイル基板４３ａ，４３ｂと対物レンズ４４とレンズホルダ４２とを有する二軸可動部４１が、互いに直交する２方向に移動され、対物レンズ４４を透過する光ビームによるフォーカシング及び／又はトラッキングの制御駆動が実行される。
【００６４】
上述したレーザ光源２５と光検出器２６とプリズム３５と対物レンズ４４と反射ミラー４８とによって情報信号の記録及び／又は再生のために光ビームを光ディスク５０の情報記録面に照射させる光学系が構成されている。
【００６５】
上述したような構成を有する二軸アクチュエータ２４が搭載されたベース部材２２には、ガイド軸による案内を受けると共に二軸アクチュエータ２４の防塵を図る等を目的とするカバー部材２３が装着される。このカバー部材２３は、ベース部材２２に装着した状態で固定ネジからなる固着手段により締付固定されて一体化され、これによりスライドベース２１が構成されている。
【００６６】
図１及び図５に示すように、カバー部材２３は、ベース部材２２の上面を覆う上面部２３ａと、この上面部２３ａの周囲を囲う側面部２３ｂとを有し、下面に開口した蓋状の部材とされている。従って、カバー部材２３の上面部２３ａはベース部材２２の平面形状を若干拡大した略相似形をなしており、その長手方向の一側には主軸受５２が設けられ、長手方向の他側には副軸受５３が設けられている。
【００６７】
カバー部材２３の主軸受５２は、上面部２３ａの幅方向に所定の間隔をあけて対向された２つの軸受部を有し、各軸受部には軸心線を共通にする軸受穴５２ａが設けられている。この軸受穴５２ａには、後述する第１のガイド軸が摺動可能に挿通される。また、副軸受５３には側方に開口された軸受溝５３ａが設けられており、この軸受溝５３ａには、後述する第２のガイド軸が摺動可能に係合される。軸受溝５３ａの底面には、第２のガイド軸との間のガタを少なくすると共に摺動時の摩擦抵抗を軽減させるためのガイド凸部５４が設けられている。
【００６８】
更に、カバー部材２３の上面部２３ａの略中央部には、二軸アクチュエータ２４の対物レンズ４４を露出させるための開口窓５５と、一対のプリントコイル基板４３ａ，４３ｂの上下運動を許容するための２つの開口溝５６ａ，５６ｂが設けられている。そして、上面部２３ａの内面において、二軸アクチュエータ２４の上方には、図６に示すように、二軸可動部４１との干渉を避けるための第１の逃げ凹部５７ａと、支持部材３９との干渉を避けるための第２の逃げ凹部５７ｂと、プリズムホルダ３７との干渉を避けるための第３の逃げ凹部５７ｃとが設けられている。
【００６９】
上述したようにベース部材２２とカバー部材２３は、固定手段の一具体例を示す固定ネジ７０によって着脱可能に締付固定されている。そのため、ベース部材２２には、図１等に示すように、外装基材２７ｂの３箇所に上下方向に貫通する挿通穴６８が設けられている。これに対応してカバー部材２３には、図５に示すように、ベース部材２２の挿通穴６８と一致する３箇所にネジ穴６９が設けられている。このカバー部材２３にベース部材２２を嵌合させて装着した後、各挿通穴６８にネジ軸を挿通して先部をネジ穴６９に螺合させ、固定ネジ７０を締め込むことにより、図７に示すように、３本の固定ネジ７０によってスライドベース２１が一体的に構成される。
【００７０】
このようなスライドベース２１のベース部材２２の裏面には複数のリブ７１が設けられており、これらのリブ７１によってベース部材２２が補強されている。更に、ベース部材２２の裏面には、回路芯材２７ａの一部を露出させることによって複数の金属露出部７２ａ，７２ｂ及び回路露出部７３ａ，７３ｂ，７３ｃが形成されている。金属露出部７２ａ，７２ｂは電気回路を構成することを目的とするものではなく、部品を支持又は固定することを目的とするものであるが、回路露出部７３ａ〜７３ｃは電気回路の一部として構成されているものである。
【００７１】
一対の第１の金属露出部７２ａ，７２ａには貫通穴７４がそれぞれ設けられており、これらの貫通穴７４には調整プレート３８の一対の脚片がそれぞれ挿入されている。一対の脚片は第１の金属露出部７２ａとハンダ接着により接合され、これにより調整プレート３８がベース部材２２に固定されている。また、一対の第２の金属露出部７２ｂには爪穴２２ｅがそれぞれ設けられており、これらの爪穴２２ｅにはプリズムホルダ３７の一対の係止爪３７ｃがそれぞれ挿通されている。そして、一対の係止爪３７ｃは第２の金属露出部７２ｂとハンダ接着により接合され、これによりプリズムホルダ３７がベース部材２２に取り付けられている。
【００７２】
また、電気回路の一部をなす第１の回路露出部７３ａには複数のコンデンサ７５ａが実装されている。同様に、電気回路の一部をなす第２の回路露出部７３ｂには可変抵抗７５ｂがハンダ接着により実装されている。この第１及び第２の回路露出部７３ａ，７３ｂの表面には、はんだメッキ又は金メッキ等のメッキ処理を施すことが好ましい（金属露出部７２ａ，７２ｂにメッキ処理を施すようにしても良い。）。このようなメッキ処理を施すことにより、比較的低い温度によっても導電体の接合が可能となるため、コンデンサや抵抗等のように高温度に比較的弱いチップ部品であっても、これを容易にはんだ付けして電気回路に実装することができる。
【００７３】
第３の回路露出部７３ｃは、レーザ光源２５としての半導体レーザの静電破壊を防ぐためのものである。この第３の回路露出部７３ｃの一方の金属露出部をグランドＧＮＤ、他方の金属露出部をランドＬＤとすることにより、半導体レーザの静電破壊を防止するショートランドの機能を果たすことができる。
【００７４】
このような回路芯材２７ａと外装基材２７ｂとからなるベース部材２２によれば、フレキシブルフラットケーブル（ＦＦケーブル）を全く使用しなくても、コンデンサや抵抗等の電子部品を直にベース部材２２に実装することができるため、光ピックアップ装置２０の小型化、軽量化を図ることができる。しかも、電気的接続を目的としない光学部品や対物レンズ駆動装置等を、ベース部材２２に対して機械的に固定する手段としてはんだ接着を用いることができるため、ベース部材２２への光学部品等の固定を簡単且つ確実に行うことができる。
【００７５】
このような構成を有する光ピックアップ装置２０による情報信号の記録及び／又は再生動作は、例えば、次のようにして行われる。図６に示すように、レーザ光源２５から出射された光ビームは、水平方向に進行してプリズム３５の第１の回折格子３５ｂから入射され、この第１の回折格子３５ｂで３つの光束に分割されて水平方向に進行する。そして、プリズム３５を透過して第２の回折格子３５ｃ側から出射され、反射ミラー４８に入射される。反射ミラー４８に入射された光ビームは、反射面で上方に反射されて進路が９０°変更され、上方に対向された対物レンズ４４に入射される。
【００７６】
対物レンズ４４で絞られた光ビームは、その上方に配置される光ディスク５０の情報記録面に照射され、その表面で反射されて逆戻りされる。即ち、情報記録面で反射された光ビームは、いま来た光路を逆戻りし、下方に進行して対物レンズ４４を透過する。この対物レンズ４４を透過した光ビームは、反射ミラー４８で９０°方向が変換されて水平方向に進行し、プリズム３３の第２の回折格子３５ｃから入射される。このプリズム３５に入射された戻りの光ビームは、第２の回折格子３５ｃによって上方に少々屈折され、反射面３５ａで反射される。この反射面３５ａで反射された光ビームは、進行方向が下方に変更され、プリズム３５の下面から出射されて光検出器２６の受光部に入射される。
【００７７】
このようにしてレーザ光源２５から出射されて光検出器２６に入射される光ビームの状態を読むことにより、情報記録面に予め記録されている情報信号を読み取る（再生）ことができると共に、その読み取り時に生じるフォーカス誤差信号及びトラッキング誤差信号を同時に読み取ることができる。また、レーザ光源２５から高出力の光ビームを出射することにより、その光ビームを用いて情報記録面に新たな情報信号を書き込む（記録）ことができる。
【００７８】
この場合、本実施例の光ピックアップ装置２０が、トラッキング制御のためにスリービーム法を用いたスリービームトラッキング方式の光ピックアップ装置であって、初期設定時（回折格子をベース部材２２に固定した後）におけるトラッキング感度が悪いとき（例えば、図１１Ｂ又は図１１Ｃに示すような状態）には、そのトラッキング感度を良い状態（図１３に示すような状態）に再調整する必要がある。
【００７９】
図１１Ｂ(1),(2) は、光ディスクＤの情報記録面Ｑ上の１つのトラック（例えば、ディスク中心からｎ＋２巻目のトラック１５ｃ）の中心部に、１つのメインビーム１２と２つのサブビーム１３，１４との３つのビーム１２〜１４が、ともにビームスポットを形成するように照射された場合を示すものである。
【００８０】
また、図１１Ｃ(1),(2) は、光ディスクＤの情報記録面Ｑ上の隣り合う３つのトラック（例えば、ディスク中心からｎ＋１巻目のトラック１５ｂと、ｎ＋２巻目のトラック１５ｃと、ｎ＋３巻目のトラック１５ｄ）の中心部に、それぞれ１つずつビーム１２〜１４がビームスポットを形成するように照射された場合を示している。即ち、メインビーム１２はトラック１５ｃに沿ってその中心部にビームスポットを形成するように照射され、第１サブビーム１３はメインビーム１２の上部の地点であるトラック１５ｂに照射され、第２サブビーム１４はメインビーム１２の下部の地点であるトラック１５ｄに照射された場合を示している。
【００８１】
この図１１Ｂ(1),(2) 及び図１１Ｃ(1),(2) に示す状態においては、そのビームスポットの位置を、図１３Ａ，Ｂに示すような状態に調整する必要がある。このトラッキング感度の再調整は、例えば、次のようにして行うことができる。
【００８２】
まず、ベース部材２２をカバー部材２３に固定ネジ７０で緩く閉めた仮止め状態において、図１１Ａに示すように、カバー部材２３の主軸受５２の軸受穴５２ａ及び副軸受５３の軸受溝５３ａに、後述するガイド軸９０ａ，９０ｂをそれぞれ挿通した後、ベース部材２２の基準穴５１に回転基準治具５８の軸部５８ａを嵌合させる。そして、カバー部材２３を固定した状態において、軸部５８ａに嵌合された基準穴５１を回転中心としてベース部材２２を必要量だけ回転させる（通常、ベース部材２２の回転角度は１°以下である。）。
【００８３】
このような調整作業を行うことにより、光ビームを３ビームに分割する回折格子３５ｂを含む光学系をベース部材２２に搭載して固定した後であっても、上述したベース部材２２とカバー部材２３との相互取り付け回転角の調整を行うことができる。その結果、３つのビームスポット間隔を所定のトラックピッチに合わせることができ、トラッキングエラーの感度を向上させることができる。
【００８４】
特に、この実施例のように、ベース部材２２の回転基準部である基準穴５１の中心線ＣＬを対物レンズ４４の光軸ＢＬと一致させる場合には、回転基準治具５８の軸部５８ａを回転中心にしてベース部材２２を回転させるだけて上述した角度調整を行うことができる。しかしながら、ベース部材２２の回転中心を対物レンズ４４の光軸ＢＬと一致させることは必須要件ではなく、両者が偏倚している場合も本願発明に含まれるものである。
【００８５】
上述したような構成を有する光ピックアップ装置２０は、例えば、図８に示すような構成を備えた光情報記録及び／又は再生装置の一具体例を示すディスクドライブ装置８０に用いることができる。このディスクドライブ装置８０は、光学ディスクの一具体例を示す光ディスクをチャッキングして所定速度（例えば、線速度一定）で回転駆動するディスク回転装置８１と、回転する光ディスクの情報記録面に対して情報信号の記録（書込み）及び再生（読出し）を行う上述した光ピックアップ装置２０と、この光ピックアップ装置２０をディスク回転装置８１に対して接近又は離反するように進退動作させるピックアップ移動装置８２と、これらの装置が搭載されたシャーシ８３等を備えて構成されている。
【００８６】
尚、光学ディスクとしては、例えば、オーディオ情報としての音楽信号やビデオ情報としての映像信号及び音楽信号等の情報信号が予め記録された再生専用型の光ディスク、音楽信号や映像信号等の情報信号が１度だけ記録可能な光ディスク（追記型）、或いは何度でも繰り返して記録可能な光ディスク（書換え型）等のように各種の光ディスクを適用することができる。更に、光学ディスクとしては、これらの光ディスクに限定されるものではなく、例えば、薄い円盤の表面に磁性薄膜層を形成し、この磁性薄膜層に光ヘッドと磁気ヘッドを用いて情報を書き込み又は読み出すようにした光磁気ディスクその他のディスク状をなす記録媒体を用いることができるものである。
【００８７】
ディスクドライブ装置８０のシャーシ８３は、砲弾の先端部を切り取ったような平面形状を有しており、その周縁を連続させて上方へ立ち上げることによって補強用の周縁壁８３ａが設けられている。そして、周縁壁８３ａの４箇所には、このシャーシ８３を、例えば、ＣＤ（コンパクトディスク）プレーヤやＤＶＤ（デジタルバーチャルディスク）プレーヤ等の電子機器に装着するための支持突起８３ｂが設けられている。
【００８８】
このシャーシ８３の略中央部には第１の開口部８４ａが設けられ、また、先細側には第２の開口部８４ｂが設けられている。更に、シャーシ８３の第１の開口部８４ａと第２の開口部８４ｂとの間にはディスク回転装置８１が設置され、また、第１の開口部８４ａを跨ぐようにして光ピックアップ装置２０が配設されている。そして、光ピックアップ装置２０の一側にピックアップ移動装置８２が配設されている。
【００８９】
ディスク回転装置８１は、モータベース板８５と、このモータベース板８５に固定されたスピンドルモータ８６と、このスピンドルモータ８６の回転部に一体に設けられたターンテーブル８７等を備えて構成されている。スピンドルモータ８６は、薄い板金製のモータベース板８５上に取り付けられており、このモータベース板８５が固定ネジ等の固着手段によってシャーシ８３に固定されている。このモータベース板８５の上面にはＦＦケーブル８８の一側が接着剤等の固着手段によって固定されている。
【００９０】
スピンドルモータ８６は、モータベース板８５に固定される固定部と、この固定部によって回転自在に支持される回転部とを有し、回転部の回転中心となる回転軸にターンテーブル８７が一体的に設けられている。ターンテーブル８７は、光ディスクのセンタ穴に嵌合される嵌合部と、この嵌合部の下部に連続すると共に光ディスクのセンタ穴の周縁部が載置される載置部等を有している。そして、嵌合部の内部に、図示しないチャックリングを吸着するマグネットが内蔵されている。このマグネットでチャックリングを吸着し、そのチャックリングと載置部とで光ディスクのセンタ穴の周縁部を挟持することにより、光ディスクがチャッキングされてターンテーブル８７と一体的に回転可能な状態となる。
【００９１】
また、ピックアップ移送装置８２は、光ピックアップ装置２０の移動をガイドする一対のガイド軸９０ａ，９０ｂと、光ピックアップ装置２０を進退移動させる送りねじ駆動装置９１等を備えて構成されている。一対のガイド軸９０ａ，９０ｂは、スピンドルモータ８６を両側から挟むような位置において、互いに平行となるように配置されている。各ガイド軸９０ａ，９０ｂは、外周面が平滑とされた丸棒状の部材によって形成されている。
【００９２】
第１のガイド軸９０ａは、光ピックアップ装置２０のスライドベース２１の一部をなすカバー部材２３に設けた主軸受５２の軸受穴５２ａ，５２ａを摺動自在に貫通していると共に、その両端部が調整プレート９２によって両端支持されている。また、第２のガイド軸９０ｂは、カバー部材２３に設けた副軸受５３の軸受溝を摺動自在に貫通していると共に、その両端部がシャーシ８３によって両端支持されている。調整プレート９２は、シャーシ８３に対して姿勢変更可能に取り付けられており、この調整プレート９２の姿勢を変更することによって一対のガイド軸９０ａ，９０ｂ間の平行度が調整可能とされている。
【００９３】
更に、一対のガイド軸９０ａ，９０ｂのうち第１のガイド軸９０ａは、調整プレート９２に設けた一対の軸支持片９３ａ，９３ａによって支持されている。各軸支持片９３ａには軸押え片９３ｂが対をなすように設けられている。この軸押え片９３ｂを固定ネジ９３ｃでネジ止めすることにより、第１のガイド軸９０ａの各端部が軸支持片９３ａにそれぞれ固定されている。また、第２のガイド軸９０ｂは、シャーシ８３に設けた一対の軸支持片９４ａ，９４ａによって支持されている。各軸支持片９４ａには軸押え片９４ｂが対をなすように設けられている。この軸押え片９４ｂを固定ネジ９４ｃでネジ止めすることにより、第２のガイド軸９０ｂがシャーシ８３に両端支持されている。
【００９４】
また、調整プレート９２には、送りねじ駆動装置９１が取り付けられている。送りねじ駆動装置９１は、図９に拡大して示すように、送りねじ９５と送りモータ９６と支持プレート９７と動力伝達部材９８等を備えて構成されている。送りねじ９５は、ガイド軸９０ａ，９０ｂよりも少し短い丸棒の外周面に、螺旋状に延在された１条のねじ溝９５ａを軸方向の略全長に渡って設けることにより形成されている。この送りねじ９５は、駆動源である送りモータ９６の回転軸を兼ねており、直接回転駆動される。
【００９５】
送りモータ９６は、円筒状のモータケース９６ａと、このモータケース９６ａの一方の開口部を閉じるケースカバー９６ｂとを有している。モータケース９６ａは、支持プレート９７のモータ支持片９７ａにカシメ等の固着手段により固定されて一体的に構成されている。図示しないが、モータケース９６ａの内周面にはリング状に巻かれたコイル部が嵌合固定されており、その内側にリング状のマグネットが回転自在に支持されている。このマグネットの中央部に、送りねじ９５の一端が圧入等の固着手段により嵌合されている。
【００９６】
支持プレート９７は、送りねじ９５と略同程度の長さを有する板金製の細長い板材によって形成されている。この支持プレート９７の長手方向の両端に、それぞれの端部を同方向に立ち上げるように設けた上述のモータ支持片９７ａとネジ支持片９７ｂとが対向されている。モータ支持片９７ａには貫通孔９７ｃが設けられ、またネジ支持片９７ｂには同一の高さとなる嵌合孔９７ｄが設けられている。モータ支持片９７ａの外側に送りモータ９６が固定され、その送りねじ９５が貫通孔９７ｃを貫通し、送りねじ９５の先端部が、嵌合孔９７ｄに嵌合固定される軸受部材によって回動自在に支持されている。
【００９７】
また、支持プレート９７には、その幅方向の一辺を長手方向に連続させて立ち上げることによりガイド突条９９が設けられている。このガイド突条９９は送りねじ９５の略真下に配置されていると共に、送りねじ９５の軸心線と略平行となるように延在されている。更に、支持プレート９７には、２つの挿通孔９７ｅと、２つの位置決め孔９７ｆとが設けられている。２つの位置決め孔９７ｆによって支持プレート９７が所定位置に位置決めされ、また、挿通孔９７ｅに挿通される取付ねじ９９ａによって支持プレート９７が調整プレート９２に取り付けられている。
【００９８】
動力伝達部材の一具体例を示す送りナット９８は、送りねじ９５の回転力を直線運動に変換してスライドベース２１に伝達するもので、第１のナット部材９８ａ及び第２のナット部材９８ｂと、両ナット部材９８ａ，９８ｂを互いに離反する方向へ付勢するコイルばね９８ｃとから構成されている。
【００９９】
第１のナット部材９８ａは、ブロック状に形成されたナット本体と、このナット本体の一面側に連続して形成された円筒状の筒軸部とを有し、これらを貫通する軸方向孔の一側に送りねじ９５のねじ溝９５ａに螺合される第１のねじ部９８a1が設けられている。更に、第１のナット部材９８ａには、軸方向と直交する側方に突出する突出部９８a2が設けられている。この突出部９８a2には筒軸部が延びる方向に延在されたスリットが設けられており、このスリットに支持プレート９７のガイド突条９９が摺動自在に係合されている。
【０１００】
また、第２のナット部材９８ｂは、スリーブ状に形成された円筒体からなり、その中心部に軸方向孔が貫通されている。軸方向孔の一側には、送りねじ９５のねじ溝９５ａに螺合される第２のねじ部９８b1が設けられている。更に、軸方向孔には第１のナット部材９８ａの筒軸部が挿脱可能に嵌合される嵌合穴が設けられており、この嵌合穴に半径方向内側に突出したキー状突起が設けられている。この第２のナット部材９８ｂと第１のナット部材９８ａとの間にコイルばね９８ｃが介在され、そのバネ力で一対のナット部材９８ａ，９８ｂを離反する方向へ付勢することにより、送りナット９８と送りねじ９５との間に生ずる軸方向のガタを吸収するようにしている。
【０１０１】
このような構成を有する第１及び第２のナット部材９８ａ，９８ｂとコイルばね９８ｃとが、一体的に組み合わされて送りねじ９５に組み立てられている。そして、第１のナット部材９８ａの突出部９８a2に設けたスリットが支持プレート９７のガイド突条９９に係合されている。その結果、ガイド突条９９によって送りナット９８の回転が防止され、送りねじ９５の回転に基づきその軸方向に送りナット９８が直線的に移動される。
【０１０２】
更に、第１のナット部材９８ａには、側方に突出する駆動突起１００が設けられている。この駆動突起１００には、スライドベース２１に固定される突起受け部材１０１が係合されている。この突起受け部材１０１を介して送りナット９８の移動力がスライドベース２１に伝達される。突起受け部材１０１は、スライドベース２１に固定するための固定片１０１ａと、この固定片１０１ａに連続された支持片１０１ｂと、この支持片１０１ｂに連続された弾性片１０１ｃとを有している。
【０１０３】
固定片１０１ａは細長い板材からなり、その長手方向中途部の幅方向一側に、Ｌ字状の支持片１０１ｂが設けられている。そして、支持片１０１ｂの自由端側の先端角部に、駆動突起１００を受けて支持するための切欠きからなる支持部１０１ｄが設けられている。弾性片１０１ｃは、三角形に折り曲げて２つの角部を設けることによって適度な強さの弾性が付与されており、先端の折曲部を押え部１０１ｅとして形成して支持部１０１ｄに対向させている。更に、固定片１０１ａには複数の挿通孔が設けられており、この挿通孔に挿通される固定ねじによって突起受け部材１０１がスライドベース２１に取り付けられている。
【０１０４】
このように取り付けられた突起受け部材１０１の支持部１０１ｄと押え部１０１ｅとの間に、送りねじ９５に装着された送りナット９８の駆動突起１００が挿入されて係合される。そして、弾性片１０１ｃのバネ力によって駆動突起１００が支持部１０１ｄと押え部１０１ｅとで挟持され、これにより、突起受け部材１０１を介して送りナット９８とスライドベース２１との間に力の伝達が可能となる。
【０１０５】
次に、上述したディスクドライブ装置８０を駆動制御する回路構成について説明する。図１０は、本発明の光情報記録及び／又は再生装置の一実施例を示すディスクドライブ装置８０の回路構成を示すもので、情報信号の記録（書込み）と再生（読出し）の両方を可能とした光ディスク記録再生装置に適用したブロック説明図である。
【０１０６】
図１０において、符号１１０は、スピンドルモータ８６及び送りモータ９６の回転を駆動制御するシステム制御装置である。このシステム制御装置１１０は、光ピックアップ装置２０をサーボ制御するサーボ回路１１１との間で信号のやり取りが可能なように接続されている。システム制御装置１１０には、電源スイッチや各種の操作ボタン等が設けられた操作パネル１１２が接続されている。また、光ピックアップ装置２０には光ビームの駆動検出回路１１３が接続されており、この駆動検出回路１１３の出力がシステム制御装置１１０及びサーボ回路１１１に供給される。更に、駆動検出回路１１３には、入力端子１１４及び出力端子１１５が接続された記録再生回路１１６が接続されている。
【０１０７】
このような構成を備えた光ディスク記録再生装置によれば、例えば、次のようにして、光ディスク５０に対する情報信号の記録及び／又は再生が行われる。まず、ユーザーが操作パネル１１２を操作することにより、その操作情報がシステム制御装置１１０に入力され、その操作情報に基づいてシステム制御装置１１０から制御信号がスピンドルモータ８６、送りモータ９６及びサーボ回路１１１に出力される。
【０１０８】
システム制御装置１１０からの制御信号がスピンドルモータ８６に供給されると、このスピンドルモータ８６が、例えば、線速度が一定となるように回転駆動される。また、システム制御装置１１０からの制御信号によって送りモータ９６が駆動され、この送りモータ９６の駆動により、光ビームが光ディスク５０の情報記録面における所望の位置に照射されるように光ピックアップ装置２０の移動が行われる。
【０１０９】
そして、例えば、入力端子１１４からの情報信号が記録再生回路１１６を通じて光ビームの駆動検出回路１１３に供給される。この駆動検出回路１１３からの信号に従って光ピックアップ装置２０での光ビームの出力が制御されることにより、光ディスク５０の情報記録面に対して入力端子１１４からの情報信号の記録が行われる。また、光ディスク５０の情報記録面に予め記録された情報信号が駆動検出回路１１３によって検出され、この検出された情報信号が記録再生回路１１６を通じて出力端子１１５に取り出される。
【０１１０】
これと共に、駆動検出回路１１３では光ビームのトラッキング用誤差信号とフォーカシング用誤差信号が検出され、これらの誤差信号がサーボ回路１１１に供給される。これにより、サーボ回路１１１から光ピックアップ装置２０に制御信号が供給され、上述した二軸アクチュエータ２４によるトラッキング及び／又はフォーカシングの制御駆動が行われる。また、操作パネル１１２からの操作信号がシステム制御装置１１０に供給されることにより、所望の記録位置や再生位置への光ピックアップ装置２０の移動、その他の制御が行われる。そして、二軸アクチュエータ２４を含む光ピックアップ装置２０からの光ビームが光ディスク５０の情報記録面に照射されることにより、情報信号の記録及び／又は再生が行われる。
【０１１１】
以上説明したが、本発明は上述した実施例に限定されるものではなく、上記実施例においては情報記録媒体として光ディスクを用いた例について説明したが、例えば、光ヘッドと磁気ヘッドを同時に使用して情報の記録及び／又は再生を行う光磁気ディスクその他のディスク状記録媒体に適用することができる。更に、上記実施例では、光情報記録及び／又は再生装置として記録及び再生の双方が可能であるディスク記録再生装置に適用した例について説明したが、記録又は再生の一方のみが可能なディスク記録装置又はディスク再生装置に適用できることは勿論である。
【０１１２】
また、上記実施例では、対物レンズ駆動装置として二軸アクチュエータを適用し、その一具体例としてワイヤ支持方式を用いた例について説明したが、これに限定されるものではなく、例えば、可動部を板バネで支持するようにした板バネ方式、可動部をヒンジ機構によって支持するようにしたヒンジ方式、軸を中心に可動部を回転させて対物レンズを横に動かすようにした軸摺動方式等のように各種方式の二軸クチュエータを適用できることは勿論のこと、その他の形式の対物レンズ駆動装置を用いることができる。
【０１１３】
更に、上記実施例においては、ベース部材２２に設けた基準穴５１を回転基準部とした例について説明したが、穴に代えて円筒状又は球状の凸部を設け、この凸部を回転基準部として構成し、これが回転自在に嵌合される凹部を回転基準治具５８に設ける構成とすることもできる。更に又、ベース部材２２の外周をカバー部材２３で回転可能に支持する構成としすることもできる。このように、本発明は、その趣旨を逸脱しない範囲で種々変更できるものである。
【０１１４】
【発明の効果】
以上説明したように、本出願の請求項１記載の光ピックアップ装置によれば、カバー部材に対する回転基準部をベース部材に設けると共に、ベース部材をカバー部材に取付ける固定手段を設ける構成としたため、カバー部材にベース部材を固定手段で仮止めした状態において、回転基準部を中心にカバー部材に対してベース部材を相対的に回転させることにより、光学ディスクの情報記録面の記録トラックに対する相対位置を調整することができる。従って、その後に固定手段でベース部材をカバー部材に本止めして一体化させることにより、ベース部材に光学系の部品を固定した後においても、その光学系の調整を行うことができる光ピックアップ装置を提供することができるという効果を得ることができる。
【０１１５】
本出願の請求項２記載の光ピックアップ装置によれば、光学系として光ビームを３ビームに分割する回折格子を含むスリービーム法の適用が可能な構成としたため、トラッキング制御のための調整を簡単且つ精度良いものとすることができる。その結果、ベース部材とカバー部材との相互取付け回転角の調整を行うことにより、ビームスポット間隔を所定のトラックピッチに合わせることができ、トラッキングエラーの感度を向上させることができる光ピックアップ装置を提供できるという効果を得ることができる。
【０１１６】
本出願の請求項３記載の光ピックアップ装置によれば、回転基準部の回転中心を対物レンズの光軸と一致させる構成としたため、カバー部材に対してベース部材を回転させるだけでトラッキング誤差信号の感度調整を行うことができ、その調整作業を簡単且つ迅速に行うことができて、トラッキングエラーの感度を向上させることができる光ピックアップ装置を提供できるという効果を得ることができる。
【０１１７】
本出願の請求項４記載の光ピックアップ装置によれば、カバー部材に一対の軸受を設け、この一対の軸受にディスクドライブ装置の一対のガイド軸を挿通する構成としたため、別部品を必要とすることなく、カバー部材を介してベース部材をディスクドライブ装置に取り付けることができ、光学系の調整が可能な光ピックアップ装置を提供することができるという効果を得ることができる。
【０１１８】
本出願の請求項５記載の光ピックアップ装置の調整方法によれば、カバー部材を光情報記録及び／又は再生装置に取り付けて固定手段で仮止めした後、回転基準部で連結されたベース部材をカバー部材に対して相対的に回転させることにより、カバー部材に対するベース部材の相対位置を変化させてトラッキング誤差信号の感度調整を行うことができ、その後ベース部材とカバー部材を本止めすることにより、カバー部材とベース部材を固定して一体化させることができるという効果を得ることができる。
【０１１９】
本出願の請求項６記載の光情報記録及び／又は再生装置によれば、ディスク回転装置と光ピックアップ装置とピックアップ移動装置とを備え、光ピックアップ装置は、カバー部材に対する回転基準部をベース部材に設けると共にベース部材をカバー部材に取付ける固定手段を設ける構成としたため、カバー部材にベース部材を固定手段で仮止めした状態において、回転基準部を中心にカバー部材に対してベース部材間を相対的に回転させることにより、光学ディスクの情報記録面の記録トラックに対する相対位置を調整することができる。従って、その後に固定手段でベース部材をカバー部材に本止めして一体化させることにより、ベース部材に光学系の部品を固定した後においても、その光学系の調整を行うことができる光ピックアップ装置を備えた光情報記録及び／又は再生装置を提供することができるという効果を得ることができる。
【０１２０】
本出願の請求項７記載の光情報記録及び／又は再生装置によれば、光ピックアップ装置の光学系として光ビームを３ビームに分割する回折格子を含むスリービーム法の適用が可能な構成としたため、トラッキング制御のための調整を簡単且つ精度良いものとすることができる。その結果、ベース部材とカバー部材との相互取付け回転角の調整を行うことにより、ビームスポット間隔を所定のトラックピッチに合わせることができ、トラッキングエラーの感度を向上させることができる光ピックアップ装置を備えた光情報記録及び／又は再生装置を提供できるという効果を得ることができる。
【０１２１】
本出願の請求項８記載の光情報記録及び／又は再生装置によれば、光ピックアップ装置の回転基準部の回転中心を対物レンズの光軸と一致させる構成としたため、カバー部材に対してベース部材を回転させるだけでトラッキング誤差信号の感度調整を行うことができ、その調整作業を簡単且つ迅速に行うことができて、トラッキングエラーの感度を向上させることができる光ピックアップ装置を備えた光情報記録及び／又は再生装置を提供することができるという効果を得ることができる。
【０１２２】
本出願の請求項９記載の光情報記録及び／又は再生装置によれば、光ピックアップ装置のカバー部材に一対の軸受を設け、この一対の軸受にディスクドライブ装置の一対のガイド軸を挿通する構成としたため、別部品を必要とすることなく、カバー部材を介してベース部材をディスクドライブ装置に取り付けることができ、光学系の調整が可能な光ピックアップ装置を備えた光情報記録及び／又は再生装置を提供できるという効果を得ることができる。
【図面の簡単な説明】
【図１】本発明の光ピックアップ装置の一実施例を分解して示す斜視図である。
【図２】本発明の光ピックアップ装置の一実施例に係るベース部材の製造工程を説明するための斜視図である。
【図３】本発明の光ピックアップ装置の一実施例に係るベース部材及び対物レンズ駆動装置を示す斜視図である。
【図４】図３のベース部材の要部を拡大して示す斜視図である。
【図５】本発明の光ピックアップ装置の一実施例に係るカバー部材を底面側から見た斜視図である。
【図６】本発明の光ピックアップ装置の一実施例を光学系に沿って断面して示す説明図である。
【図７】本発明の光ピックアップ装置の一実施例を底面側から見た斜視図である。
【図８】本発明の光情報記録及び／又は再生装置の一実施例を示す斜視図である。
【図９】本発明の光情報記録及び／又は再生装置の一実施例に係るピックアップ移動装置の送りねじ駆動装置を示す斜視図である。
【図１０】本発明の光情報記録及び／又は再生装置の一実施例の概略構成を示すブロック説明図である。
【図１１】光ピックアップ装置のスリービーム法によるトラッキング制御を説明するもので、同図Ａは本発明の光ピックアップ装置の一実施例を回転基準治具に取り付けた状態を示す断面図、同図Ｂ(1) はディスク上のスリービームの第１の状態の説明図、同図Ｂ(2) は同図Ｂ(1) に対応した光検出器の受光部上のスリービームの説明図、同図Ｃ(1) はディスク上の第２の状態のスリービームの説明図、同図Ｃ(2) は同図Ｃ(1) に対応した光検出器の受光部上のスリービームの説明図である。
【図１２】従来の一般的な光ピックアップ装置の概略構成を示す説明図である。
【図１３】光ピックアップ装置のスリービーム法によるトラッキング制御を説明するもので、同図Ａはディスク上のスリービームの説明図、同図Ｂは光検出器の受光部上のスリービームの説明図である。
【符号の説明】
２０  光ピックアップ装置、  ２１  スライドベース、  ２２  ベース部材、２３  カバー部材、  ２４  二軸アクチュエータ（対物レンズ駆動装置）、  ２５  レーザ光源、  ２６  光検出器、  ３２，３３  電気回路、  ３５  プリズム、  ３５ｂ，３５ｃ  回折格子、  ４１  二軸可動部、  ４４  対物レンズ、  ５０  光ディスク（光学ディスク）、  ５１  基準穴（回転基準部）、  ５２  主軸受、  ５３  副軸受、  ５８  回転基準治具、  ５８ａ  軸部、  ７０固定ネジ（固定手段）、  ８０  ディスクドライブ装置（光情報記録及び／又は再生装置）、  ８１  ディスク回転装置、  ８２  ピックアップ移動装置、  ８３  シャーシ、  ８６  スピンドルモータ、  ８７  ターンテーブル、  ９０ａ，９０ｂ  ガイド軸、  ９１  送りねじ駆動装置、  ＢＬ  対物レンズの光軸、  ＣＬ  回転基準部の中心線
【図１】
2005216330.tif 000003
【図２】
2005216330.tif 000004
【図３】
2005216330.tif 000005
【図４】
2005216330.tif 000006
【図５】
2005216330.tif 000007
【図６】
2005216330.tif 000008
【図７】
2005216330.tif 000009
【図８】
2005216330.tif 000010
【図９】
2005216330.tif 000011
【図１０】
2005216330.tif 000012
【図１１】
2005216330.tif 000013
【図１２】
2005216330.tif 000014
【図１３】
2005216330.tif 000015